(57)【要約】【課題】操作部が用紙積載面の上方に配置され、排紙方向が装置本体の前方方向である画像形成装置において、操作性、搬送性、アクセス性を確保する。【解決手段】画像形成装置は、操作ユニットが用紙積載面の上方に配置され、排紙方向が装置本体の前方方向であり、操作ユニットを構成するチルト動作可能な操作ユニット表示部１０１を備えている。操作ユニット表示部１０１の可動領域は、装置本体１１への用紙の排紙軌跡よりも上方にある。そのことにより、鉛直方向において操作ユニットと用紙積載面１２との距離が確保できる。また操作ユニット表示部１０１の回動は、装置を搬送する際の妨げにならず、またカートリッジ等のサプライの交換の妨げにならないようにできる。【選択図】図１
2015217551.tif 000002
【特許請求の範囲】
【請求項１】
装置本体の上方に設けられた操作ユニット表示部が上記装置本体に設けられたヒンジを中心に回動するとともに、排紙の方向が上記装置本体の前方方向である画像形成装置において、
上記操作ユニット表示部の可動領域を、上記排紙の軌跡よりも上方に設けている、
ことを特徴とする画像形成装置。
【請求項２】
上記ヒンジの位置を排紙ローラより前方に設けている、ことを特徴とする請求項１に記載の画像形成装置。
【請求項３】
上記操作ユニット表示部の可動領域が、上記装置本体に設けられた用紙積載面にスタックされたＡ５用紙の横先端の位置より後方に設けられている、
ことを特徴とする請求項１に記載の画像形成装置。
【請求項４】
上記操作ユニット表示部の内端が、上記装置本体に設けられた用紙積載面にスタックされたはがき用紙の位置より外側に設けられている、
ことを特徴とする請求項１に記載の画像形成装置。
【請求項５】
装置本体の上方に設けられた操作ユニット表示部が上記装置本体に設けられたヒンジを中心に回動するとともに、排紙の方向が上記装置本体の前方方向である画像形成装置において、
上記操作ユニット表示部の可動領域を、上記装置本体の後端よりも前方に設けている、
ことを特徴とする画像形成装置。
【請求項６】
装置本体の上方に設けられた操作ユニット表示部が上記装置本体に設けられたヒンジを中心に回動するとともに、排紙の方向が上記装置本体の前方方向である画像形成装置において、
上記操作ユニット表示部の外端が、上記装置本体の外端よりも内側に設けられている、
ことを特徴とする画像形成装置。
【請求項７】
上記操作ユニット表示部と上記装置本体の間に、記憶媒体用のスロットを配置してある、
ことを特徴とする請求項１乃至６のいずれかに記載の画像形成装置。
【請求項８】
上記操作ユニット表示部の前方の領域に、カードリーダーを配置してある、
ことを特徴とする請求項１乃至６のいずれかに記載の画像形成装置。
【発明の詳細な説明】
【技術分野】
【０００１】
本発明は、画像形成装置に関し、詳細には操作部の操作性（オペレーション性）、装置としての搬送性、用紙やサプライへのアクセス性等の向上を図った画像形成装置に関する。
【背景技術】
【０００２】
複写機、プリンタ、ファクシミリ、それらの複合機等の画像形成装置の操作部は、ユーザーの操作性の観点から装置本体の上方や前方から操作し易い位置に設けられる場合が多い。また、さらなる操作性を向上させるため、操作部の角度を変更する機構を備えたものが存在する。
【０００３】
また、画像形成された用紙や定期的に交換するサプライ（本明細書において交換部品、交換可能なユニット等を言う）も同様にユーザーが上方や前方からアクセスしやすい配置としている。そして、それぞれの操作性を確保するために様々な工夫がなされている。
【０００４】
しかしながら近年では、操作ユニットで表示する情報が増加されたり、タッチパネルの採用により、表示部が大型化されていく傾向にある。その一方で、画像形成層チオ装置本体は小型化される傾向にある。そのため、操作性（オペレーション性）、装置としての搬送性、用紙やサプライへのアクセス性を両立させることが困難になってきている。
【発明の概要】
【発明が解決しようとする課題】
【０００５】
本発明は、操作部が用紙積載面の上方に配置され、排紙方向が装置前方方向である画像形成装置において、操作性（オペレーション性）を確保しつつ、装置としての搬送性、用紙やサプライへのアクセス性を確保することを目的とする。また、装置本体を小型化可能とすることを目的とする。
【課題を解決するための手段】
【０００６】
本発明に係る画像形成装置は、装置本体上方に設けられた操作ユニット表示部が上記装置本体に設けられたヒンジを中心に回動するとともに、排紙の方向が上記装置前方方向である画像形成装置において、上記操作ユニット表示部の可動領域を、上記排紙の軌跡よりも上方に設けていることを特徴とする。
【発明の効果】
【０００７】
本発明によれば、操作性（オペレーション性）を確保しつつ、装置としての搬送性、用紙やサプライへのアクセス性を確保することができ、装置本体を小型化可能とすることも達成可能となる。
【図面の簡単な説明】
【０００８】
【図１】本発明の一実施形態に係る画像形成装置を示す図である。
【図２】表示部の可動領域を示す図である。
【図３】装置本体の後端位置を示す図である。
【図４】装置本体の用紙積載面を示す図である。
【図５】操作ユニット表示部の正面図を示す図である。
【図６】装置本体へのカードリーダーの設置位置を示す図である。
【発明を実施するための形態】
【０００９】
本発明の実施の形態を説明する。本実施形態の画像形成装置は、チルト動作可能な操作ユニット表示部を備え、その動作において、以下の特徴を有する。要するに、操作部を構成する操作ユニット表示部の可動領域が排紙軌跡よりも上方にあることにより、
・鉛直方向において操作部と用紙の積載面との距離を確保でき、
・操作ユニット表示部の回動が搬送の妨げにならず、
・操作ユニット表示部の回動がカートリッジ等のサプライ交換の妨げにならない
ようになっている。
【００１０】
以下、上記記載の本発明の特徴について、図面を参照して説明する。
図１（Ａ）は、本発明の一実施形態に係る画像形成装置を示す。図示の画像形成装置は、操作ユニット１０およびサプライ交換時に開閉する前カバー１３を装置本体１１に備えている。そして、画像形成された用紙は図１（Ａ）の前方（装置本体１１の前方）に向かって排紙され、用紙積載面１２にスタックされる。
【００１１】
図１（Ｂ）は操作ユニット表示部１０１を示す。操作ユニット表示部１０１（以下、単に表示部１０１と記載する。）は操作ユニットヒンジ１０２（以下では、単にヒンジ１０２と記載する。）を中心に回動し、前方に傾斜させた図１（Ｃ）の状態から、後方に傾斜させた図１（Ｄ）の状態の間で変位する。また、ヒンジ１０２は装置本体の排紙ローラ１０３より前方に設けられている。
【００１２】
図２に表示部１０１の可動領域を示す。表示部１０１は可動領域２０１の任意の位置で停止することができる。表示部１０１の可動領域２０１は、常に装置本体１１の排紙軌跡領域２０２の上方に位置するようにしてある。
【００１３】
図３に装置本体１１の後端位置を示す。表示部１０１を装置本体１１の後方側に傾斜させた際の後端位置３０２は、装置本体１１の後端位置３０１より前方に位置している。
【００１４】
図４に装置本体１１の用紙積載面１２を示す。表示部１０１を前方に傾斜させた際の先端位置４０３は、用紙積載面１２にスタックされたＡ５用紙サイズ４０１の横先端位置よりも後方に位置している。また、表示部１０１の内端位置４０４は、用紙積載面１２にスタックされたはがきサイズ４０２の外端位置よりも外側に位置している。
【００１５】
図５に表示部１０１の正面図を示す。表示部１０１の外端位置５０３は、装置本体１１の外端位置５０２よりも内側に位置している。
【００１６】
図６に装置本体１１へのカードリーダー６０１の設置位置を示す。操作ユニット前方のカードリーダー位置にカードリーダー６０１が設置されている。カードリーダー６０１に代えて適宜の記憶媒体用のスロットを設けることができるが、図示は省略する。このような構成とすると、操作ユニット１０が装置本体１１上に設けた用紙積載面１２の上方に配置され、排紙方向が装置本体１１の前方方向である画像形成装置において、操作性（オペレーション性）を確保しつつ、搬送性および用紙とサプライへのアクセス性を確保できることがわかる。
【００１７】
すなわち上述してきた実施形態では、操作ユニット１０の表示部１０１の可動領域２０１が排紙軌跡領域２０２よりも上方にあることにより、
・鉛直方向において表示部１０１と用紙積載面１２との距離を確保でき、
・そのため表示部１０１の回動が装置を搬送する際の妨げにならないようにでき、
・またそのため、表示部１０１の回動がカートリッジ等のサプライ交換の妨げにならない。
【００１８】
また、操作ユニット１０のヒンジ１０２の位置が装置本体１１内の排紙ローラ１０３よりも前方にあることにより、ユーザーと操作ユニット１０との距離が近く、そのぶんオペレーション性が向上する。
【００１９】
また、表示部１０１の可動領域２０１が、装置本体１１の後端よりも前方にあることにより、表示部１０１の回動が装置の設置スペースを設定する際の障害にならない。表示部１０１の外端が、装置本体１１の外端よりも内側に設けられていることによっても、表示部１０１の回動が装置の設置スペースを設定する際の障害にならない。  
【００２０】
また、表示部１０１の可動領域２０１が、用紙積載面１２にスタックされたＡ５用紙の横先端より後方に設けられていることにより、表示部１０１の回動が用紙積載面１２に積載された用紙へのアクセスの妨げにならない。操作ユニット１０の内端が、用紙積載面１２にスタックされはがき用紙より外側に設けられていることによっても、表示部１０１の回動が用紙積載面１２に積載された用紙へのアクセスの妨げにならない。
【００２１】
さらに、操作ユニット１０と装置本体１１の間にカードリーダー６０１等の記憶媒体用のスロットを配置することにより、新たなスペースを設けることなく、空いたスペースに必要な機能を搭載することにより装置の小型化が可能となる。操作ユニット１０の前方の領域に上述のカードリーダー−６０１を配置することによっても、同様である。
【００２２】
本発明は以上説明した実施形態に限定されるものではなく、多くの変形が本発明の技術的思想内で当分野において通常の知識を有する者により可能である。
【符号の説明】
【００２３】
１０  操作ユニット
１１  画像形成装置の装置本体
１２  用紙積載面
１３  前カバー
１０１  操作ユニット表示部（表示部）
１０２  操作ユニットヒンジ（ヒンジ）
１０３  排紙ローラ
２０１  表示部の可動領域
２０２  排紙軌跡領域
３０１  装置本体の後端位置
３０２  表示ユニット表示部の後端位置
４０１  用紙積載面のＡ５横サイズ
４０２  用紙積載面のはがきサイズ
４０３  操作ユニット表示部の先端位置
４０４  操作ユニット表示部の内端位置
５０１  記憶媒体スロット
５０２  装置本体の外端位置
５０３  操作ユニット表示部の外端位置
６０１  カードリーダー
【先行技術文献】
【特許文献】
【００２４】
【特許文献１】特開２０１０−１０９４５８号公報
【図１】
2015217551.tif 000003
【図２】
2015217551.tif 000004
【図３】
2015217551.tif 000005
【図４】
2015217551.tif 000006
【図５】
2015217551.tif 000007
【図６】
2015217551.tif 000008